(57)【要約】電気力線や磁力線を経絡線に沿って走らせることにより、筋肉や神経を効果的に癒すことができる皮接健康器具を提供する。具体的には、イオン化傾向率が互いに異なる二種の金属１，２と、これら二種の金属を接続し、一方の金属１から他方の金属２に向かって電気力線を発生させる導体３とを有する電気力線発生チップ４を、電気力線が人体の経絡線に沿って走るように、シール部材５１により絶縁部材を介して皮膚６に間接的に取り付けるようにした。
2003022353.tif 000002
【特許請求の範囲】
【請求項１】
イオン化傾向率が互いに異なる二種の金属と、
これら二種の金属を接続し、一方の金属から他方の金属に向かって電気力線を発生させる導体と、
前記電気力線が人体の経絡線に沿って走るように人体に直接または間接的に取り付けるための取付手段と、
を備えてなる皮接健康器具。
【請求項２】
請求の範囲第１項に記載の皮接健康器具において、
前記二種の金属及びこれら金属を導体で接続してなる導体路が湾曲又は略コ字状となるように形成し、この湾曲又は略コ字状の凹部側を人体側に直接または絶縁体を介して間接的に貼り付けるようにしたことを特徴とする皮接健康器具。
【請求項３】
請求の範囲第１項に記載の皮接健康器具において、
前記二種の金属及びこれら金属を導体で接続してなる導体路が湾曲又は略コ字状となるように形成し、この湾曲又は略コ字状の凸部側を人体側に直接または絶縁体を介して間接的に貼り付けるようにしたことを特徴とする皮接健康器具。
【請求項４】
絶縁体プレートの下面にイオン化傾向率が互いに異なる二種の金属を所定の距離だけ離して設けるとともに、これら二種の金属を前記絶縁体プレートの上面を迂回して導体で接続することにより、前記二種の金属の一方から他方にかけて電気力線を発生させ、この電気力線が人体の経絡線に沿って走るように、前記二種の金属が設けられた前記絶縁体プレートの下面側を人体の皮膚に直接的にまたは絶縁体を介して間接的に貼り付けてなる皮接健康器具。
【請求項５】
絶縁体プレートの下面にイオン化傾向率が互いに異なる二種の金属を所定の距離だけ離して設けるとともに、これら二種の金属を前記絶縁体プレートの上面を迂回して導体で接続することにより、前記二種の金属の一方から他方にかけて電気力線を発生させ、この電気力線が人体の経絡線に沿って走るように、前記二種の金属が設けられていない前記絶縁体プレートの上面側を人体の皮膚に直接的にまたは絶縁体を介して間接的に貼り付けてなる皮接健康器具。
【請求項６】
絶縁体プレートの上面と下面にイオン化傾向率が互いに異なる二種の金属をそれぞれ設けるとともに、これら金属を前記絶縁体プレートの一端を迂回して導体で接続することにより、前記金属の一方から他方にかけてループ状に電気力線を発生させ、前記金属のいずれか一方が設けられている前記絶縁体プレートの面側を、前記電気力線の一部が人体の経絡線に沿うように、皮膚に直接的にまたは絶縁体を介して間接的に貼り付けるようにしてなる皮接健康器具。
【請求項７】
請求の範囲第１項に記載の皮接健康器具において、
前記二種の金属を皮膚から浮かして設けるための離設部材が備えられていることを特徴とする皮接健康器具。
【請求項８】
請求の範囲第１項に記載の皮接健康器具において、
発生される電気力線の方向であって、経絡方向に一致させるべき方向を指示するマークが適所に設けられていることを特徴とする皮接健康器具。
【請求項９】
プレート状の非磁性体の上面及び両端部近傍を覆うように湾曲状に磁石を設け、この磁石の磁力線が人体の経絡線に沿って走るように人体に直接又は間接的に貼り付けられる皮接健康器具。
【発明の詳細な説明】
技術分野
本発明は、人体の経絡線に沿って、電気力線や磁力線を走らせて、筋肉や神経の疲労を癒すようにした皮接健康器具に関するものである。
背景技術
皮接時に形成される生態電池による微弱電流で筋肉や神経の疲労を癒すという皮接健康器具が例えば特開２０００−１２６３０８号公報などに知られている。
しかしながら、電流を流すのではなく、人体の経路に沿って、電気力線や磁力線を沿わせるように走らせれば、筋肉や神経を癒す効果があることが認められた。なお、経絡線は非常に細い線であるので、電気力線や磁力線をその経絡線に一致するように皮接健康器具を取り付ける必要がある。
本発明は、このような事情に鑑みてなされたものであり、電気力線や磁力線を経絡線に沿って走らせることにより、筋肉や神経を効果的に癒すことができる皮接健康器具を提供することを目的としている。
発明の開示
本発明は、電気力線や磁力線の力を利用して人体の経絡を流れている気または生命エネルギの流れを促進または調整し、健康な身体を得られるようにしたものである。なお、経絡とは、気または生命エネルギの主要道路のようなものであり、皮膚表面上を体内と体外へある程度の幅を持ちながら一方向へ流れている。体調が悪くなるとこの流れが滞ったり、逆流したりする。本発明にかかる皮接健康器具は有効に作用させるため、皮膚表面に平行に設けられる。なお、微弱電流を流しても効果が認められるが、この際、電流によって発生する磁界が経絡に悪影響を及ぼさない程度に微弱な電流を流すようにすることが好ましい。電気力線や磁力線を正常な経絡の流れに逆らうように作用させると、筋力検査により筋力は弱くなっていることが分かっている。また痛みのあるときや、体調が悪いとき、ある経絡線上の正常な流れ方向へ電気力線や磁力線を作用させると、筋力は強くなることも分かっている。
上述した課題を解決するため、本発明に係る皮接健康器具は、イオン化傾向率が互いに異なる二種の金属と、これら二種の金属を接続し、一方の金属から他方の金属に向かって電気力線を発生させる導体と、前記電気力線が人体の経絡線に沿って走るように人体に直接または間接的に取り付けるための取付手段とを備えてなるものである。
また、本発明に係る皮接健康器具において、前記二種の金属及びこれら金属を導体で接続してなる導体路が湾曲又は略コ宇状となるように形成し、この湾曲又は略コ字状の凹部側を人体側に直接または絶縁体を介して間接的に貼り付けるようにしたことを特徴とするものである。
また、本発明に係る皮接健康器具において、前記二種の金属及びこれら金属を導体で接続してなる導体路が湾曲又は略コ字状となるように形成し、この湾曲又は略コ字状の凸部側を人体側に直接または絶縁体を介して間接的に貼り付けるようにしたことを特徴とするものである。
また、本発明の皮接健康器具は、絶縁体プレートの下面にイオン化傾向率が互いに異なる二種の金属を所定の距離だけ離して設けるとともに、これら二種の金属を前記絶縁体プレートの上面を迂回して導体で接続することにより、前記二種の金属の一方から他方にかけて電気力線を発生させ、この電気力線が人体の経絡線に沿って走るように、前記二種の金属が設けられた前記絶縁体プレートの下面側を人体の皮膚に直接的にまたは絶縁体を介して間接的に貼り付けてなるものである。
また、本発明の皮接健康器具は、絶縁体プレートの下面にイオン化傾向率が互いに異なる二種の金属を所定の距離だけ離して設けるとともに、これら二種の金属を前記絶縁体プレートの上面を迂回して導体で接続することにより、前記二種の金属の一方から他方にかけて電気力線を発生させ、この電気力線が人体の経絡線に沿って走るように、前記二種の金属が設けられていない前記絶縁体プレートの上面側を人体の皮膚に直接的にまたは絶縁体を介して間接的に貼り付けてなるものである。
また、本発明の皮接健康器具は、絶縁体プレートの上面と下面にイオン化傾向率が互いに異なる二種の金属をそれぞれ設けるとともに、これら金属を前記絶縁体プレートの一端を迂回して導体で接続することにより、前記金属の一方から他方にかけてループ状に電気力線を発生させ、前記金属のいずれか一方が設けられている前記絶縁体プレートの面側を、前記電気力線の一部が人体の経絡線に沿うように、皮膚に直接的にまたは絶縁体を介して間接的に貼り付けるようにしてなるものである。
また、本発明に係る皮接健康器具において、前記二種の金属を皮膚から浮かして設けるための離設部材が備えられていることを特徴とするものである。
また、本発明に係る皮接健康器具において、発生される電気力線の方向であって、経絡方向に一致させるべき方向を指示するマークが適所に設けられていることを特徴とするものである。
また、本発明の皮接健康器具は、プレート状の非磁性体の上面及び両端部近傍を覆うように湾曲状に磁石を設け、この磁石の磁力線が人体の経絡線に沿って走るように人体に直接又は間接的に貼り付けられるものである。
発明を実施するための最良の形態
以下、本発明の実施の形態を図面を用いて説明する。
実施の形態１．
第１図は本発明の実施の形態１における皮接健康器具を示すであり、（ａ）は側面図、（ｂ）は平面図、（ｃ）は人体の皮膚に取り付けた状態を示す側面図である。
この皮接健康器具は、イオン化傾向率が互いに異なる二種の平板状金属（例えば金とアルミニウム）１，２と、これら二種の金属１，２を接続し、一方の金属１から他方の金属２に向かって電気力線を発生させる導体としての銅板（銅線でもよい）３とを備えてなる電気力線発生チップ４と、この電気力線発生チップ４を（ｃ）に示されるように、電気力線が人体の経絡線に沿って走るように、人体の皮膚６に直接貼り付けるための取付手段としてのシール部材（絆創膏等）５とからなる。
実施の形態においては、絶縁体プレート１０の一面（下面）の両端部に金属１，２を取り付け、これら金属１，２を絶縁体プレート１０の他面（上面）を迂回するように銅板３を設けて接続している。
電気力線発生チップ４を構成する金属１，２の幅（Ｌ１）は、経絡線の幅が１〜２ｍｍと細いため、使用時に経絡線を外さないように、約５〜１０ｍｍ程度とすることが好ましい。また、長さ（Ｌ２）は１０〜２０ｍｍ、厚さ（Ｌ３）はシール部材（絆創膏）で皮膚に貼り付けたときに、チップ４が皮膚の深さ方向にのめり込まない程度として、例えば０．５〜２ｍｍ程度が好ましい。チップ４が皮膚の深さ方向にのめり込むと、電気力線の方向を正確に経絡線方向に一致させることが困難となるためである。
イオン化傾向率の異なる二種の金属としては、金とアルミニウムの組合せの他、銀とアルミニウム、銅と亜鉛、銀とニッケル、銀と真鍮、銀とチタン、銀とステンレス、白金とニッケルもしくは亜鉛等の組合せが採用され得る。この場合、発生する電気力線の強さは、二種の金属のイオン化傾向率の差にほぼ比例する。従って、金属の組合せを変更することによりイオン化傾向率の差を変更することができ、それに伴って発生する電気力線の大きさも変更することができる。
そして、（ｃ）に示されるように人体の経絡方向に沿って電気力線を走らせることにより、筋肉や神経を効果的に癒すことができる。絶縁体プレート１０としてはプラスチックにより形成する。
実施の形態１によれば、構造が簡単であるという特長がある。
実施の形態２．
第２図は実施の形態２を示す図であり、（ａ）は電気力線発生チップを皮膚に取り付けた状態における、二種の金属間の中央部断面を示す側面図、（ｂ）は（ａ）を下側（皮膚側）から見た斜視図、（ｃ）は（ａ）の上面から見た平面図である。
実施の形態２では、実施の形態１において説明した絶縁体プレート１０の両側にプラスチック等の絶縁体からなる円柱体１１，１１を設け、皮膚に直接金属１，２が接触しないようにしたものであり、電気力線発生チップを間接的に皮膚に貼り付けるようにした例を示している。また、実施の形態２では、シール部材（絆創膏）５１に電気力線の方向を示す矢印マークを設けると共に、経絡の流れを阻害しないための穴５２を形成している。
実施の形態２のように皮膚に電気力線発生チップ４を間接的に貼り付けることにより、肌が弱く、金属に対するアレルギー症状をもつ人でも安心して使用することができる。なお、実施の形態１の場合でも皮膚６と金属１，２間に布等を介して介して貼り付けるようにしても良い。
実施の形態２によれば、皮膚が直接チップに触れないので、金属等により肌が荒れやすい人でも、安心して使用できるという特長がある。またチップ自身が経絡の流れを阻害しないという特長もある。
なお、実施の形態１で示したチップを上下反対にして（裏面にして）皮膚に直接貼り付けるようにしても良い。
実施の形態３．
第３図は本発明の実施の形態３における皮接健康器具を示す図であり、（ａ）は側面図、（ｂ）は（ａ）の平面図、（ｃ）は人体の皮膚に取り付けた状態を示す側面図である。この皮接健康器具は、絶縁体プレート１０の下面１０ａと上面１０ｂそれぞれにイオン化傾向率が互いに異なる二種の金属１，２それぞれを設けるとともに、これら二種の金属１，２を前記絶縁体プレート１０の一端１０ｃを迂回して導体（銅板または銅線）３で接続することにより、（ｃ）に示すように二種の金属の一方から他方にかけてループ状に電気力線を発生させるようにしたものである。そして、（ｃ）に示すように、二種の金属のいずれか一方の金属１（金）が設けられている絶縁体プレートの面１０ａ側を、皮膚側にしてシール部材（絆創膏）５１Ａにより皮膚６に貼り付けるようにしてなるものである。そして、この電気力線発生チップ４Ａを経絡線に対しその電気力線の方向が一致するように貼り付けると、電気力線Ｅは（ｃ）に示すように経絡線に沿って走ることとなる。シール部材５１Ａには、電気力線が出入りするための穴５２Ａが金属１と金属２の近傍それぞれ設けられている。実施の形態３では、微弱電流が発生することがないという特長を有する。
実施の形態４．
第４図は実施の形態４を示す図であり、（ａ）は電気力線発生チップを皮膚に取り付けた状態における、二種の金属間の中央部断面を示す側面図、（ｂ）は（ａ）を下側（皮膚側）から見た斜視図、（ｃ）は電気力線発生チップを上面から見た図、（ｄ）は（ａ）の平面図である。
実施の形態４では、実施の形態３において説明した絶縁体プレート１０の両側にプラスチック等の絶縁体からなる円柱体１１，１１を設け、実施の形態２と同様、皮膚に直接金属１，２が接触しないようにしたものであり、電気力線発生チップを間接的に皮膚に貼り付けるようにした例を示している。また、実施の形態４でも、シール部材（絆創膏）５１Ｂには電気力線の方向を示す矢印マーク５３を設けると共に、電気力線が出入りする穴５２Ｂを形成している。実施の形態４では、チップ自身が経絡の流れを阻害しないという特長を有する。
実施の形態５．
実施の形態１乃至実施の形態４は、電気力線を経絡線の方向に一致させて筋肉や神経を癒す場合について説明したが、磁力線を経絡線方向に一致させても同様な効果が得られる。
第５図は永久磁石７１の磁極近傍にコーナを設け、Ｎ極７１ＡからＳ極７１Ｂに向かう磁力線Ｈを経絡線の方向に一致させるようにしたものである。永久磁石７１は両端７２ａ，７２ｂがコーナ状に形成された非磁性体ブロック７２の外形に沿って、この非磁性体７２の上面及び両側部を包むように設けられ、その非磁性体の下面を皮膚６方向に向けて、且つ磁力線Ｈの方向が経絡線の方向に沿うように皮膚６に貼り付けられる。従って永久磁石７１もその両端７１ａ，７１ｂがコーナ状に形成され、湾曲状とされる。ここに、永久磁石７１（あるいはそれと非磁性体７２）は磁力線発生チップ７０を構成している。
そして、この磁力線発生チップについても、（ｂ）に示すように、永久磁石７１の湾曲する凹部側を皮膚側として、シール部材５１Ｃにより皮膚６に貼り付けられる。なお、（ｃ）に示すように、永久磁石７１の湾曲する凹部側を皮膚６とは反対側として皮膚６に貼り付けるようにしても良い。
実施の形態６．
永久磁石についても、磁石が皮膚に直接触れないように、プラスチックの円柱体１１を介して皮膚に貼り付けるようにしても良く、第６図にその様子を示す。シール部材５１Ｄには、磁力線（磁界）の方向を示す矢印マーク５３と経絡の流れを阻害しないための穴５２Ｃが設けられている。
なお、第７図には、以上に説明したシール部材の種々の態様を示している。第７図において、（ａ）は矢印マークにより電気力線または磁力線の方向を示すようにしたものであり、（ｂ）は電気力線や磁力線が出入りし、又は経絡の流れを阻害しない穴の形状によりそれらの方向を示したものである。（ｃ）はシール部材の形により電気力線または磁力線の方向を示すようにしたものである。（ｄ）は第２図（ｃ）や第６図（ｂ）で示したシール部材と同じであるが、（ｅ）は（ｄ）に示すシール部材をその経絡方向の両端で切り落とし、経絡の流れを阻害しないための穴を不要とした態様を示している。
産業上の利用可能性
以上に詳述したように、本発明によれば、電気力線や磁力線を経絡線に沿って走らせることにより、筋肉や神経を効果的に癒すことができる皮接健康器具を提供することができるという効果を奏する。
【図面の簡単な説明】
第１図は、本発明の実施の形態１を示す図である。
第２図は、本発明の実施の形態２を示す図である。
第３図は、本発明の実施の形態３を示す図である。
第４図は、本発明の実施の形態４を示す図である。
第５図は、本発明の実施の形態５を示す図である。
第６図は、本発明の実施の形態６を示す図である。
第７図は、シール部材の種々の態様を示す図である。
【図１】
2003022353.tif 000003
【図２】
2003022353.tif 000004
【図３】
2003022353.tif 000005
【図４】
2003022353.tif 000006
【図５】
2003022353.tif 000007
【図６】
2003022353.tif 000008
【図７】
2003022353.tif 000009
【国際調査報告】
2003022353.tif 000010
2003022353.tif 000011
2003022353.tif 000012
2003022353.tif 000013